【手続補正書】
【提出日】平成25年8月20日(2013.8.20)
【手続補正１】
【補正対象書類名】明細書
【補正対象項目名】００１６
【補正方法】変更
【補正の内容】
【００１６】
上記目的を達成するために、撮影レンズを介して入射する被写体からの光を光電変換して得られた画像データに基づいて、コントラスト方式のオートフォーカス制御を行う本発明の撮像装置は、所定周期で被写体を撮像して画像データを取得する撮像手段と、表示手段に前記撮像手段により取得した画像データに基づく画像を逐次表示する際に、前記画像データから人物の顔を検出する顔検出手段と、前記撮像手段から、前記検出した顔までの距離を推定する推定手段と、前記撮影レンズの焦点距離と、絞り値と、前記推定手段により推定された前記距離とに基づいて第１の被写界深度を求め、該第１の被写界深度と前記距離とに基づいて、前記オートフォーカス制御において前記撮影レンズのフォーカスレンズを駆動する第１のスキャン範囲を算出すると共に、前記焦点距離と、前記絞り値と、前記顔の検出に用いられた画像データを取得したときの合焦点までの距離とに基づいて第２の被写界深度を求め、該第２の被写界深度と前記合焦点までの距離とに基づいて、第２のスキャン範囲を算出する算出手段と、前記算出手段により算出した前記第１及び第２のスキャン範囲を含む複数のスキャン範囲のいずれかを選択する選択手段と、前記選択手段により選択されたスキャン範囲において前記フォーカスレンズを駆動しながら取得したコントラスト信号に基づいて、合焦点を検出する検出手段とを有し、前記選択手段は、前記第１及び第２のスキャン範囲の少なくとも一部が重なっている場合に、前記第１のスキャン範囲を選択し、前記１及び第２のスキャン範囲が重なっていない場合に、前記第１のスキャン範囲を選択しない。
【手続補正２】
【補正対象書類名】明細書
【補正対象項目名】００３５
【補正方法】変更
【補正の内容】
【００３５】
一方、レンズユニット３００において、レンズユニット３００内のズームレンズ及びフォーカスレンズを含む撮影レンズ３０１に対して、被写体からの光が入射される。この入射した光は、絞り３０２、レンズマウント３０３及び１０６、ミラー１１４およびシャッタ１１５を介して導かれ、撮像素子１０１上に、光学像として入射する。
【手続補正３】
【補正対象書類名】特許請求の範囲
【補正対象項目名】全文
【補正方法】変更
【補正の内容】
【特許請求の範囲】
【請求項１】
撮影レンズを介して入射する被写体からの光を光電変換して得られた画像データに基づいて、コントラスト方式のオートフォーカス制御を行う撮像装置であって、
所定周期で被写体を撮像して画像データを取得する撮像手段と、
表示手段に前記撮像手段により取得した画像データに基づく画像を逐次表示する際に、前記画像データから人物の顔を検出する顔検出手段と、
前記撮像手段から、前記検出した顔までの距離を推定する推定手段と、
前記撮影レンズの焦点距離と、絞り値と、前記推定手段により推定された前記距離とに基づいて第１の被写界深度を求め、該第１の被写界深度と前記距離とに基づいて、前記オートフォーカス制御において前記撮影レンズのフォーカスレンズを駆動する第１のスキャン範囲を算出すると共に、前記焦点距離と、前記絞り値と、前記顔の検出に用いられた画像データを取得したときの合焦点までの距離とに基づいて第２の被写界深度を求め、該第２の被写界深度と前記合焦点までの距離とに基づいて、第２のスキャン範囲を算出する算出手段と、
前記算出手段により算出した前記第１及び第２のスキャン範囲を含む複数のスキャン範囲のいずれかを選択する選択手段と、
前記選択手段により選択されたスキャン範囲において前記フォーカスレンズを駆動しながら取得したコントラスト信号に基づいて、合焦点を検出する検出手段とを有し、
前記選択手段は、前記第１及び第２のスキャン範囲の少なくとも一部が重なっている場合に、前記第１のスキャン範囲を選択し、前記１及び第２のスキャン範囲が重なっていない場合に、前記第１のスキャン範囲を選択しないことを特徴とする撮像装置。
【請求項２】
前記選択手段は、前記１及び第２のスキャン範囲が重なっていない場合に、前記第２のスキャン範囲を選択することを特徴とする請求項１に記載の撮像装置。
【請求項３】
前記顔検出手段により顔が検出されなかった場合に、予め決められた方法でスキャン範囲を決定する決定手段を更に有し、
前記決定手段は、更に、前記１及び第２のスキャン範囲が重なっていない場合に、前記予め決められた方法でスキャン範囲を決定し、
前記選択手段は、前記顔検出手段により顔が検出されなかった場合、及び、前記１及び第２のスキャン範囲が重なっていない場合に、前記前記予め決められた方法で決められたスキャン範囲を選択することを特徴とする請求項１に記載の撮像装置。
【請求項４】
フラッシュの発光量を制御する制御手段を更に有し、
前記制御手段は、前記選択手段により前記第１のスキャン範囲が選択された場合に、前記推定手段により推定された前記距離に基づいて前記発光量を制御し、前記第２のスキャン範囲が選択された場合に、前記表示される画像を撮影したときの前記フォーカスレンズの位置で合焦する距離に基づいて前記発光量を制御することを特徴とする請求項１乃至３のいずれか１項に記載の撮像装置。
【請求項５】
撮影レンズを介して入射する被写体からの光を光電変換して得られた画像データに基づいて、コントラスト方式のオートフォーカス制御を行う撮像装置の制御方法であって、
撮像手段が、所定周期で被写体を撮像して画像データを取得する撮像ステップと、
顔検出手段が、表示手段に前記撮像ステップで取得した画像データに基づく画像を逐次表示する際に、前記画像データから人物の顔を検出する顔検出ステップと、
推定手段が、前記撮像手段から、前記検出した顔までの距離を推定する推定ステップと、
算出手段が、前記撮影レンズの焦点距離と、絞り値と、前記推定ステップで推定された前記距離とに基づいて第１の被写界深度を求め、該第１の被写界深度と前記距離とに基づいて、前記オートフォーカス制御において前記撮影レンズのフォーカスレンズを駆動する第１のスキャン範囲を算出すると共に、前記焦点距離と、前記絞り値と、前記顔の検出に用いられた画像データを取得したときの合焦点までの距離とに基づいて第２の被写界深度を求め、該第２の被写界深度と前記合焦点までの距離に基づいて、第２のスキャン範囲を算出する算出ステップと、
選択手段が、前記算出ステップで算出した前記第１及び第２のスキャン範囲を含む複数のスキャン範囲のいずれかを選択する選択ステップと、
検出手段が、前記選択ステップで選択されたスキャン範囲において前記フォーカスレンズを駆動しながら取得したコントラスト信号に基づいて、合焦点を検出する検出ステップとを有し、
前記選択ステップでは、前記第１及び第２のスキャン範囲の少なくとも一部が重なっている場合に、前記第１のスキャン範囲を選択し、前記１及び第２のスキャン範囲が重なっていない場合に、前記第１のスキャン範囲を選択しないことを特徴とする撮像装置の制御方法。
【請求項６】
コンピュータに、請求項５に記載の制御方法の各工程を実行させるためのプログラム。
【請求項７】
請求項６に記載のプログラムを格納したコンピュータが読み取り可能な記憶媒体。
【手続補正４】
【補正対象書類名】図面
【補正対象項目名】図１
【補正方法】変更
【補正の内容】
【図１】
2012042833.tif 000001
【手続補正５】
【補正対象書類名】図面
【補正対象項目名】図７
【補正方法】変更
【補正の内容】
【図７】
2012042833.tif 000002